(57)【特許請求の範囲】
【請求項１】
水平方向に軸線を向けた環状の防振主体部と、該防振主体部の上下両側に設けられた取付け部とを少なくとも有し、
上記防振主体部と、上記上側および／または下側の取付け部とは、全周にわたってくびれ状にされた短柱状の首部を介して連結されており、
かつ、上記防振主体部と上記首部と上記取付け部とが弾性体によって一体成形されてなる防振部材。
【請求項２】
上記弾性体は、ショアーＡ硬度が３０°〜６５°である請求項１に記載の防振部材。
【請求項３】
上記弾性体は、ショアーＡ硬度が４０°〜６０°である請求項１に記載の防振部材。
【請求項４】
短柱状首部が横断面円形状である請求項１〜請求項３のいずれか１項に記載の防振部材。
【請求項５】
短柱状首部の高さが０．３ｍｍ〜１ｍｍの範囲において設定されると共に、同首部の直径が２ｍｍ〜４ｍｍの範囲において設定されている請求項４に記載の防振部材。
【請求項６】
防振主体部の上側の取付部の上端面中央部に、上方に突出されたピン状の上部突出部が備えられている請求項１〜請求項５のいずれか１項に記載の防振部材。
【請求項７】
光ディスク装置用の防振部材である請求項１〜請求項６のいずれか１項に記載の防振部材。
【請求項８】
ディスク状記録媒体に光スポットを投影して情報を記録および／または再生する光学的記録再生手段と、
上記光学的記録再生手段を支持する少なくとも１つの防振部材とを備えてなる光ディスク装置において、
上記防振部材は、水平方向に軸線を向けた環状の防振主体部と、該防振主体部の垂直方向の上下両側に設けられた取付け部とを少なくとも有し、
上記防振主体部と、上記上側および／または下側の取付け部とは、全周にわたってくびれ状にされた短注状の首部を介して連結されており、
かつ、上記防振主体部と上記首部と上記取付け部とが弾性体によって一体成形されてなる、ことを特徴とする光ディスク装置。
【請求項９】
前記水平方向は前記光学的記録再生手段のトラッキング方向であり、前記垂直方向は前記光学的記録再生手段のフォーカス方向である請求項８に記載の光ディスク装置。
【請求項１０】
上記弾性体は、ショアーＡ硬度が３０°〜６５°である請求項８または請求項９に記載の光ディスク装置。
【請求項１１】
上記弾性体は、ショアーＡ硬度が４０°〜６０°である請求項８または請求項９に記載の光ディスク装置。
【請求項１２】
短柱状首部が横断面円形状である請求項８〜請求項１１のいずれか１項に記載の光ディスク装置。
【請求項１３】
短柱状首部の高さが０．３ｍｍ〜１ｍｍの範囲において設定されると共に、同首部の直径が２ｍｍ〜４ｍｍの範囲において設定されている請求項１２に記載の光ディスク装置。
【請求項１４】
防振主体部の上側の取付部の上端面中央部に、上方に突出されたピン状の上部突出部が備えられ、該上部突出部が上部パネルの差込み孔内にあそびを有して差込まれている請求項８〜請求項１３のいずれか１項に記載の光ディスク装置。
【発明の詳細な説明】
【０００１】
【産業上の利用分野】
この発明は、防振部材およびそれを用いた光ディスク装置に関する。さらに詳しくは、ディスク状記録媒体に光スポットを投影して光学的に情報を記録および／または再生する光ディスク装置、具体的には、例えば、携帯用ＣＤプレーヤー、車載用ＣＤプレーヤー、ＣＤ−ＲＯＭユニット、光磁気ディスクユニット等における振動吸収に好適に用いられる防振部材およびそれを用いた光ディスク装置に関する。
【０００２】
【従来の技術】
光ディスク装置の用途は、音響機器、情報関連機器の分野へと多様化していく傾向にあり、それに伴って防振性能に対する要求も益々厳しいものになってきている。特に、携帯用ＣＤプレーヤーやＣＤ−ＲＯＭにおいては、音飛び、データエラー等の解消のための防振対策が重要となっている。
【０００３】
このような背景において、従来、光ディスク装置には、例えば、図１４に示されるような構造の防振部材（51）が用いられていた。この防振部材（51）は、ショアーＡ硬度が３０°以下のゴムからなり、中空筒状に成形されて上下のパネル（52）（53）間にピン（54）（55）にて位置決め状態に保持され、この防振部材（51）の周壁に形成された上下の環状膨出壁部（51a ）（51b ）間にメカニカルデッキ（56）の保持部（56a ）が取り付けられるようになされたもので、この防振部材（51）により、パネル（52）（53）からメカニカルデッキ（56）に伝えられる振動を減衰し、同デッキ（56）に設けられている光ピックアップへの振動の伝達を抑制するようになされている。
【０００４】
【発明が解決しようとする課題】
しかしながら、上記のような形状構造の防振部材（51）では、防振部材（51）がピン（54）（55）によって保持されるものであるため、トラッキング方向（水平方向）の変形の自由度がほとんどなく、トラッキング方向の振動減衰性能が悪いという問題があった。
【０００５】
また、上記のような形状構造の防振部材（51）では、上下両側の環状膨出壁部（51a ）（51b ）を圧縮した状態でメカニカルデッキ（56）を保持するものであるために、フォーカス方向（垂直方向）の変形の自由度も制限されてしまい、フォーカス方向においても振動減衰性能が悪いという問題があった。
【０００６】
また、上記の防振部材（51）は、その硬度を３０°以下に設定しているが、このために、防振部材（51）それ自身によるメカニカルデッキ（56）の姿勢保持が困難であるという問題があった。そこで、硬度を３０°を上回るものにして、姿勢保持に十分な硬度にすることも考えられるが、その場合には、変形の自由度が確保されず、共振周波数が高くなって除振領域が制限され、振動減衰機能が低下するといった問題を派生することになる。
【０００７】
従って、上記のような従来の防振部材（51）の構造では、光ディスク装置に水平及び垂直方向に振動、衝撃が加わったときに、光ピックアップの光ディスクに対するトラッキングのサーボ制御、及び対物レンズのフォーカスサーボ制御に支障をきたすおそれがあった。
【０００８】
さらに、上記の防振部材（51）は、環状膨出壁部（51a ）（51b ）を有するアンダーカット形状であるため、金型による成形が困難であるという問題もあった。
【０００９】
この発明は、上記のような従来の問題点に鑑み、垂直方向にも水平方向にも優れた振動減衰機能を発揮することができる防振部材を提供することを主たる目的とする。また、この発明は、優れた防振性能を有する光ディスク装置を提供することを目的とする。
【００１０】
【課題を解決するための手段】
上記目的において、この発明による防振部材は、水平方向に軸線を向けた環状の防振主体部と、該防振主体部の上下両側に設けられた取付け部とを少なくとも有し、かつ、上記防振主体部と上記取付け部とが弾性体によって一体成形されてなることを特徴とする。
【００１１】
上記防振部材は、ショアーＡ硬度３０°〜６５°の弾性体からなるのが好ましい。そして、上記防振部材は、ショアーＡ硬度４０°〜６０°の弾性体からなるのがより好ましい。
【００１２】
上記防振主体部と、上記上下の取付け部とは、直接に連接された形状構造であってよい。しかし、上記防振主体部と、上記上側または下側（より好ましくは上下両側）の取付け部とは、全周にわたってくびれ状にされた短柱状の首部を介して連結され、かつこれら防振主体部、首部および取付け部が弾性体によって一体成形されてなるのがより好ましい。
【００１３】
ここで、短柱状首部は、横断面円形状であるのが好ましい。
【００１４】
また、短柱状首部は、その高さが０．３ｍｍ〜１ｍｍの範囲において、その直径が２ｍｍ〜４ｍｍの範囲においてそれぞれ設定されるのが好ましい。
【００１５】
また、この発明による光ディスク装置は、ディスク状記録媒体に光スポットを投影して情報を記録および／または再生する光学的記録再生手段と、該光学的記録再生手段を支持する少なくとも１つの防振部材とを備えてなる光ディスク装置において、該防振部材が上記特徴を備えた防振部材であることを特徴とする。
【００１６】
【作用】
上記防振部材では、水平方向に軸線を向けた環状の弾性体による防振主体部を備えていることにより、この防振主体部がダンピングを行うことで、垂直方向（フォーカス方向）において大きな変形の自由度を有する。加えて、上記した従来のようなピン保持構造によるものではなく、水平方向に軸線を向けた環状の防振主体部を採用するものであることにより、水平方向（トラッキング方向）においても大きな変形の自由度を有する。しかも、このような形状構造の防振主体部は、アンダーカット形状を有しないものであるため、金型による成形が容易になる。
【００１７】
また、防振主体部と上下の取付け部とは、弾性体によって一体成形されているため、共振周波数を一カ所に集中させることができる。ちなみに、防振主体部と上下の取付け部とを別材料とした場合には、共振周波数が複数に分散してしまうため好ましい防振特性が得られない。しかも、このように防振主体部と上下の取付け部とが弾性体で一体成形されている構造により、防振部材全体の成形が容易になり、かつ、防振部材の取り付けも容易になる。
【００１８】
防振部材を構成する弾性体のショアーＡ硬度を３０°以上とすることにより、メカニカルデッキ等の防振対象物の姿勢保持が確実なものになり、またその成形も容易となる。特に４０°以上とすることによって、防振対象物の姿勢保持がより一層確実なものになる。一方、ショアーＡ硬度を６５°以下、好適には６０°以下とすることにより、変形の自由度が大きく確保されて、共振周波数を低く抑えられ、優れた振動減衰性能が得られる。
【００１９】
加えて、防振主体部と、該防振主体部の上下に設けられた各取付け部のいずれか一方または両方とが、全周にわたってくびれ状にされた短柱状の首部を介して連結されてなる形状構造とすることにより、フォーカス方向においては、防振主体部は、この短柱状の首部を通じての局部的な集中荷重を受けて変形することになり、フォーカス方向における変形の自由度が更に大きなものになる。このように、フォーカス方向における変形の自由度がより一層大きなものになることにより、その共振周波数がより一層低くなり、除振領域がより一層広がって、フォーカス方向においてより一層優れた振動減衰機能が発揮される。
【００２０】
のみならず、このように防振主体部と上側および／または下側の取付け部とが、短柱状の首部を介して連結されている構造とすることにより、トラッキング方向においては、該首部自身が弾性的な剪断変形を行い、これにより、トラッキング方向における変形の自由度が更に大きなものになる。このようにトラッキング方向における変形の自由度がより一層大きなものになることにより、その共振周波数がより一層低くなり、除振領域がより一層広がって、トラッキング方向においてもより一層優れた振動減衰機能が発揮される。
【００２１】
特に、首部を横断面円形状にすることにより、あらゆる水平方向において安定良く優れた振動減衰機能が発揮される。
【００２２】
なお、この振動減衰機能は、短柱状首部の高さが０．３ｍｍ〜１ｍｍの範囲において、その直径が２ｍｍ〜４ｍｍの範囲においてそれぞれ設定されることにより、特に優れたものになる。
【００２３】
【実施例】
次に、この発明の実施例を説明する。本実施例では、光ディスク装置として、携帯用のＣＤプレーヤーを例に挙げて説明する。なお、光ディスク装置としては、その他、車載用ＣＤプレーヤー、ＣＤ−ＲＯＭユニット、光磁気ディスクユニットなど、防振対策が求められる各種の光ディスク装置であってよい。また、本発明における防振部材は、光ディスク装置用に限定されるものではなく、防振対策の求められる各種機器に広く適用され得るものであることはいうまでもない。
【００２４】
一実施例にかかる防振部材のＣＤプレーヤーにおける取付け状態を示す図１において、（１）は上部パネル、（２）は下部パネル、（３）は防振対象物としての、またディスク状記録媒体に光スポットを投影して情報を記録および／または再生する光学的記録再生手段としてのメカニカルデッキ、そして（４）は防振部材である。メカニカルデッキ（３）には、図４に示されるように、その周縁部の３箇所に防振部材（４）（４）（４）が取り付けられ、図１に示されるように、該防振部材（４）を介して、上部パネル（１）と下部パネル（２）との間に保持されている。なお、図４に示されるメカニカルデッキ（３）において、（５）はターンテーブル、（６）は光ピックアップである。
【００２５】
図１ないし図３に示されるように、上記防振部材（４）において、（８）は防振主体部、（９）は下部パネル取付け部、（10）はメカニカルデッキ取付け部、（11）は上部突出部、（15）（15）は短柱状首部である。
【００２６】
この防振部材（４）は、ブチルゴム、シリコーンゴム、ポリウレタンゴム、天然ゴムなどのゴム材料や、熱可塑性エラストマー、軟質合成樹脂等からなる弾性体による一体成形品である。
【００２７】
該防振部材（４）のショアーＡ硬度は３０°〜６５°の範囲において設定されるのが好ましい。硬度が３０°よりも小さいとメカニカルデッキ（３）の姿勢保持等に支障をきたすおそれがあり、一方、６５°を越えて大きいと防振部材（４）の変形の自由度が小さくなり、十分な振動減衰機能を発揮しづらくなるからである。硬度の下限値は、メカニカルデッキ（３）の姿勢保持等の観点から４０°以上であるのがより好ましい。また、硬度の上限値は、変形の自由度の確保という観点から６０°以下であるのがより好ましい。なお、硬度の範囲特定において、上記した上限値と下限値とはそれらの間で任意の組み合わせが可能である。本実施例の防振部材（４）は、ショアーＡ硬度５０°のブチルゴムからなる。
【００２８】
防振主体部（８）は、水平方向に軸線を向けた横断面偏平長円状の短筒状の環状部に形成されている。該防振主体部（８）は、その高さが６ｍｍ、長径方向の幅が１０ｍｍ、筒軸線長さ方向の幅が６．５ｍｍ、壁厚が１．５ｍｍに設計されている。
【００２９】
下部パネル取付け部（９）は、防振主体部（８）の下方側に備えられ、上下のフランジ部（9a）（9b）に挟まれた環状溝（9c）を有して、該環状溝（9c）内に、下部パネル（２）の内底面に形成されたＣ字状保持部（2a）が嵌合されて、防振部材（４）を下部パネル（２）に対し位置決め状態に保持するものである。この下部パネル取付け部（９）は、平面円形状をなし、その合計高さが３ｍｍ、上フランジ部（9a）の外径が１０ｍｍ、下フランジ部（9b）の外径が８ｍｍで、環状溝部（9c）の外径は５．５ｍｍ、溝幅が１ｍｍの円形状に成形されている。
【００３０】
メカニカルデッキ取付け部（10）は、防振主体部（８）の上方側に備えられ、上下のフランジ部（10a ）（10b ）に挟まれた環状溝（10c ）を有して、該環状溝（10c ）内に、メカニカルデッキ部（３）の周縁部のＣ字状保持部（3a）が嵌合されて防振部材（４）にメカニカルデッキ部（３）が保持されるようになされている。そして、上方のフランジ部（10a ）と上部パネル（１）の下面との間には、防振部材（４）の変形代を確保するために間隙が形成されている。該取付け部（10）は、平面円形状をなし、その合計高さが３．５ｍｍ、上フランジ部（10a ）の外径が８ｍｍ、下フランジ部（10b ）の外径が１０ｍｍで、環状溝部（10c ）の外径は５．５ｍｍ、溝幅が１．５ｍｍの円形状に成形されている。
【００３１】
上部突出部（11）は、メカニカルデッキ取付け部（10）の上端面中央部において上方に突出されたピン状のもので、上部パネル（１）に設けられた差込み孔（1a）内に差し込まれている。そして、この差し込み状態において、突出部（11）の外周面と差込み孔（1a）の内周面との間には、防振部材（４）の変形代を確保するための若干のあそびが設けられている。該突出部（11）は、高さが４ｍｍ、直径が２．５ｍｍに設計されている。
【００３２】
そして、上記防振主体部（８）と下部パネル取付け部（９）、及び防振主体部（８）とメカニカルデッキ取付け部（10）とは、それぞれ、それらの中央部位置において、短柱状の首部（15）（15）によって、全周にわたってくびれ状をなす態様に連結されている。この短柱状首部（15）は、横断面が円形状で、高さが０．４ｍｍ、直径が２ｍｍに形成されている。
【００３３】
この短柱状首部（15）の高さは０．３ｍｍ〜１ｍｍの範囲において、またその直径は２ｍｍ〜４ｍｍの範囲において設定されるのが好ましい。高さが０．３ｍｍを下回って小さい場合や直径が４ｍｍを上回って大きい場合には、特にトラッキング方向の変形自由度が十分に確保されず良好な振動減衰機能が発揮されにくくなり、一方、高さが１ｍｍを上回って大きい場合や直径が２ｍｍを下回って小さい場合には、首部（15）に座屈を生じやすくなる等の理由による。
【００３４】
なお、短柱状首部（15）は、いずれの水平方向においても良好な振動減衰機能を発揮しうるようにその横断面形状が円形であるのが好ましいが、水平方向における良好な振動減衰機能を発揮しうる範囲で、楕円形、方形、多角形等の各種異形の横断面形状であってよい。
【００３５】
光ディスク装置は、図１及び図４に示されるように、メカニカルデッキ（３）の周縁部の３箇所に形成されたＣ字状保持部（3a）に防振部材（４）のメカニカルデッキ取付け部（10）の環状溝（10c ）が嵌合されて構成され、そして、本実施例における携帯用ＣＤプレーヤーは、更に、防振部材（４）の下部パネル取付け部（９）が下部パネル（２）内底面のＣ字状保持部（2a）内に嵌合され、かつ、ピン状の上部突出部（11）が上部パネル（１）の差込み孔（1a）内に差し込まれた状態に組み合わされて構成されている。
【００３６】
上記実施例構成の防振部材（４）によれば、図１４に示される従来の防振部材（51）では得られない次のような作用効果が奏される。
【００３７】
即ち、まず、従来の防振部材（51）は、上下のパネル（52）（53）から突出されたピン（54）（55）を差し込んで保持されているために、トラッキング方向の変形の自由度がほとんどなかった。これに対し、本実施例による防振部材（４）では、このようなピン保持構造を排除し、水平方向に軸線を向けた環状の防振主体部（８）を備えたものであるため、防振主体部（８）の自由な変形作用によってトラッキング方向において大きな変形の自由度を有する。更に、上部突出部（11）が備えられ、これが、上部パネル（１）の差込み孔（1a）内にあそびを有して差し込まれているから、トラッキング方向においてより大きな変形の自由度を有する。しかも、防振主体部（８）と上下各取付け部（９）（10）とは、短柱状の首部（15）（15）を介して連結されているから、該首部（15）（15）自身が弾性的な剪断変形を行うことができ、これにより、上記防振部材（４）は、トラッキング方向において更に大きな変形の自由度を有することとなる。このようにトラッキング方向において非常に大きな変形の自由度を有することで、その共振周波数が低くなり、除振領域は広がって、優れた振動減衰機能をトラッキング方向において発揮することができる。特に、上記実施例では、短柱状首部（15）の横断面形状が上記のように円形状にされているから、あらゆる水平方向において等しく効果的な振動減衰機能を発揮することができる。
【００３８】
次に、従来の防振部材（51）は、上下両側において環状膨出部（51a ）（51b ）を圧縮した状態でメカニカルデッキ（56）を保持しているため、フォーカス方向の変形の自由度もかなり制限されたものとなっていた。これに対し、本実施例による防振部材（４）では、上記のように水平方向に軸線を向けた環状の防振主体部（８）を備えたものであることにより、これがダンピングを行うことでフォーカス方向においても大きな変形の自由度を有する。更に、防振部材（４）の上側取付け部（10）と上部パネル（１）との間に間隔をおきメカニカルデッキ（３）の上側を解放するようにしているため、フォーカス方向において更に大きな変形の自由度を有する。しかも、防振主体部（８）とメカニカルデッキ取付け部（10）、及び防振主体部（８）と下部パネル取付け部（９）とは、それぞれ全周にわたってくびれ状にされた短柱状の首部（15）（15）を介して連結されているから、防振主体部（８）はこれら首部（15）（15）を通じての局部的な集中荷重を受けてフォーカス方向に変形することになり、フォーカス方向における防振部材（４）の変形の自由度は更に大きなものになる。従って、このようにフォーカス方向において非常に大きな変形の自由度を有することで、その共振周波数が低くなり、除振領域は広がって、優れた振動減衰機能をフォーカス方向においても発揮することができる。
【００３９】
更に、従来の防振部材（51）は、ショアーＡ硬度が３０°以下のゴムからなっていたために、ピン（54）（55）によってメカニカルデッキ（56）の姿勢保持をする必要があった。これに対し、本実施例による防振部材（４）では、そのショアーＡ硬度が３０°を越えた５０°のブチルゴムからなるものであるから、ピン（54）（55）を用いないでも光ディスク装置内におけるメカニカルデッキ（３）の姿勢保持をそれ自身で確実に行うことができる。しかも、ゴムの硬度が比較的に高いために、防振部材（４）自体の製作も容易に行い得る。
【００４０】
更に、従来の防振部材（51）は、図示するようにアンダーカット形状であったために成形後の脱型が困難であったが、本実施例による防振部材（４）では、アンダーカット形状を有しない構造であるため、金型による成形が容易である。
【００４１】
因みに、図１４に示されるような従来の防振部材（51）を用いた場合と、上記実施例にかかる防振部材（４）を用いた場合とについて、入力加速度を０．５Ｇ、加振周波数を１０〜５００Ｈｚとし、加速度センサーをメカニカルデッキ（３）のターンテーブル（５）に取り付けて、フォーカス方向とトラッキング方向の各振動減衰特性を調べたところ、図１３（イ）（ロ）に示されるような結果が得られた。
【００４２】
フォーカス方向における振動減衰特性を示す図１３（イ）において、ライン（Ｆ1 ）はショアーＡ硬度を５０°とした実施例防振部材（４）についてのものであり、ライン（Ｆ2 ）は硬度を同じく５０°とした従来構造の防振部材（51）についてのものである。なお、ライン（F3）は硬度を１５°とした従来構造の防振部材（51）についてのものである。同図に示されるように、上記実施例構造の防振部材（４）によれば、フォーカス方向において従来構造に比べ共振周波数、共振倍率ともに低くすることができ、優れた振動減衰機能を発揮しうることを確認し得た。なお、硬度を１５°とした従来構造の防振部材（51）では、メカニカルデッキの姿勢保持に難がみられた。
【００４３】
また、トラッキング方向における振動減衰特性を示す図１３（ロ）において、ライン（Ｔ1 ）はショアーＡ硬度を５０°とした実施例防振部材（４）についてのものであり、ライン（Ｔ2 ）は硬度を同じく５０°とした従来構造の防振部材（51）についてのものである。なお、ライン（Ｔ3 ）は硬度を１５°とした従来構造の防振部材（51）についてのものである。同図に示されるように、実施例構造の防振部材（４）によれば、トラッキング方向においても、上記フォーカス方向におけるのと同様に、優れた振動減衰機能を発揮しうることを確認し得た。なお、実施例防振部材（４）についてのトラッキング方向における振動減衰特性は、該防振部材（４）に防振主体部（８）の環状部軸線方向と直交する方向から振動を付与した場合のものである。
【００４４】
また、音飛び特性を実際にスピーカーにてモニターしながら調べたが、実施例防振部材（４）では、フォーカス方向、トラッキング方向のいずれの振動の場合も音飛びは認められなかった。
【００４５】
なお、本発明の防振部材（４）を光ディスク装置に組み込む場合、通常は、一台の光ディスク装置につき複数個の防振部材（４）が使用されるが、このとき、各防振部材（４）を取り付ける箇所に応じて、それらの防振部材（４）の硬度に違いを持たせてもよい。例えば、図４においては、一台のメカニカルデッキ（３）を３個の防振部材（４）（４）（４）で保持しているが、この場合には、最も大きな荷重のかかるターンテーブル（５）側の防振部材（４）のショアーＡ硬度を６０°とし、比較的に小さな荷重しかかからない他の２つの防振部材（４）（４）のショアーＡ硬度を４０°とすれば、メカニカルデッキ（３）の姿勢保持をより一層安定化させることができる。
【００４６】
また、上記実施例においては、防振主体部（８）と下部パネル取付け部（９）、及び防振主体部（８）とメカニカルデッキ取付け部（10）とは、それぞれ、全周にわたってくびれ状にされた短柱状の首部（15）（15）によって連結されているが、これに代えて、図５ないし図８に示すように、防振主体部（８）とメカニカルデッキ取付け部（10）のみが短柱状首部（15）によって連結され、防振主体部（８）と下部パネル取付け部（９）とは短柱状首部（15）を介さず直接に連結された構造に構成されてもよい。また、図示しないが、これとは逆に、防振主体部（８）と下部パネル取付け部（９）のみが短柱状首部（15）によって連結され、防振主体部（８）とメカニカルデッキ取付け部（10）とは短柱状首部（15）を介さず直接に連結された構造に構成されてもよい。このようにいずれか一方の短柱状首部を省略することにより、防振部材を組み込む装置の設計上コンパクト化を図る必要がある場合に適し、しかも同時に、短柱状首部による優れた防振特性を得ることができる。
【００４７】
あるいはまた、図９ないし図１２に示すように、首部（15）を全く省略して、防振主体部（８）と下部パネル取付け部（９）、及び防振主体部（８）とメカニカルデッキ取付け部（10）をそれぞれ直接に連結した構造に構成されていてもよい。この場合、短柱状首部による防振作用はないが、コンパクト化には最も適している。
【００４８】
【発明の効果】
上述の次第で、この発明の防振部材は、水平方向に軸線を向けた環状の弾性体による防振主体部を備えているから、垂直方向においても、また水平方向においても、大きな変形の自由度を有し、優れた振動減衰機能を発揮することができる。
【００４９】
しかも、防振主体部と上下の取付け部とは弾性体によって一体成形されているから、共振周波数が複数に分散してしまうのを防止して共振周波数を１カ所に集中させることができ、優れた防振特性を得ることができる。
【００５０】
加えて、防振部材全体が弾性体による一体成形品であり、かつその形状にアンダーカット部分を有しないものであるため、金型による成形を容易なものにすることができる。
【００５１】
そして、上記防振部材をショアーＡ硬度が３０°以上、好ましくは４０°以上の弾性体で形成することにより、防振対象物の姿勢保持を確実なものにすることができると共に、金型による成形も容易なものにすることができる。また、ショアーＡ硬度が６５°以下、好ましくは６０°以下の弾性体で形成することにより、変形の自由度を大きく確保し得て、共振周波数を低く抑えることができ、優れた振動減衰性能を得ることができる。
【００５２】
さらに、防振主体部と上側および／または下側の取付け部とが全周にわたってくびれ状にされた短柱状の首部を介して連結されてなる形状構造とすることにより、垂直方向および水平方向において更に大きな変形の自由度を有するものにすることができ、その共振周波数をより一層低くしえ、除振領域をより一層広くしえて、より一層優れた振動減衰機能を発揮することができる。
【００５３】
また、短柱状首部を横断面円形状にすることによって、あらゆる水平方向において安定良く優れた振動減衰機能を発揮することができる。
【００５４】
また、短柱状首部の高さを０．３ｍｍ〜１ｍｍの範囲において、その直径を２ｍｍ〜４ｍｍの範囲においてそれぞれ設定することにより、この振動減衰機能を更に一層優れたものにすることができる。
【００５５】
この発明の防振部材は、コンピュータ関連機器、ＡＶ機器等の精密機器用の防振部材として好適であり、特に光ディスク装置用の防振部材として好適に用いることができる。そして、本発明の光ディスク装置は、上記構造の防振部材を用いているため、フォーカス方向、トラッキング方向のいずれの方向においても優れた振動減衰機能を発揮することができる。
【図面の簡単な説明】
【図１】一実施例にかかる防振部材の取付け状態を示す断面側面図である。
【図２】同実施例にかかる防振部材を示すもので、図（イ）は正面図、図（ロ）は右側面図、図（ハ）は平面図、図（ニ）は底面図である。
【図３】同実施例にかかる防振部材を示すもので、図（イ）は図２（イ）のＩ−Ｉ線断面矢視図、図（ロ）は図２（イ）のＩＩ−ＩＩ線断面矢視図、図（ハ）は図２（イ）のＩＩＩ−ＩＩＩ線断面矢視図、図（ニ）は図２（イ）のＩＶ−ＩＶ線断面矢視図、図（ホ）は図２（イ）のＶ−Ｖ線断面矢視図、図（ヘ）は図２（ハ）のＶＩ−ＶＩ線断面矢視図である。
【図４】同実施例にかかる防振部材を備えた光ディスク装置の斜視図である。
【図５】他の実施例にかかる防振部材の取付け状態を示す断面側面図である。
【図６】同実施例にかかる防振部材を示すもので、図（イ）は正面図、図（ロ）は右側面図、図（ハ）は平面図、図（ニ）は底面図である。
【図７】同実施例にかかる防振部材を示すもので、図（イ）は図６（イ）のＶＩＩ−ＶＩＩ線断面矢視図、図（ロ）は図６（イ）のＶＩＩＩ−ＶＩＩＩ線断面矢視図、図（ハ）は図６（イ）のＩＸ−ＩＸ線断面矢視図、図（ニ）は図６（イ）のＸ−Ｘ線断面矢視図、図（ホ）は図６（ハ）のＸＩ−ＸＩ線断面矢視図である。
【図８】同実施例にかかる防振部材を備えた光ディスク装置の斜視図である。
【図９】更に他の実施例にかかる防振部材の取付け状態を示す断面側面図である。
【図１０】同実施例にかかる防振部材を示すもので、図（イ）は正面図、図（ロ）は右側面図、図（ハ）は平面図、図（ニ）は底面図である。
【図１１】同実施例にかかる防振部材を示すもので、図（イ）は図１０（イ）のＸＩＩ−ＸＩＩ線断面矢視図、図（ロ）は図１０（イ）のＸＩＩＩ−ＸＩＩＩ線断面矢視図、図（ハ）は図１０（イ）のＸＩＶ−ＸＩＶ線断面矢視図、図（ニ）は図１０（ハ）のＸＶ−ＸＶ線断面矢視図である。
【図１２】同実施例にかかる防振部材を備えた光ディスク装置の斜視図である。
【図１３】図（イ）はフォーカス方向における振動減衰特性を示すグラフ図、図（ロ）はトラッキング方向における振動減衰特性を示すグラフ図である。
【図１４】従来の防振部材を、光ディスク装置への取り付け状態において示す断面図である。
【符号の説明】
３…メカニカルデッキ（光学的記録再生手段）
４…防振部材
８…防振主体部
９…下部パネル取付け部
１０…メカニカルデッキ取付け部
１５…首部
【図１】
0003714693.tif 000002
【図２】
0003714693.tif 000003
【図３】
0003714693.tif 000004
【図４】
0003714693.tif 000005
【図５】
0003714693.tif 000006
【図６】
0003714693.tif 000007
【図７】
0003714693.tif 000008
【図８】
0003714693.tif 000009
【図９】
0003714693.tif 000010
【図１０】
0003714693.tif 000011
【図１１】
0003714693.tif 000012
【図１２】
0003714693.tif 000013
【図１３】
0003714693.tif 000014
【図１４】
0003714693.tif 000015